(57)【特許請求の範囲】
【請求項１】
高パワー部位と低パワー部位を含むシャツであって、
前記高パワー部位の生地のＪＩＳ  Ｌ  １０９６に準じて測定した身体の長軸方向における伸長率が２０〜２００％であり、かつ前記低パワー部位の生地のＪＩＳ  Ｌ  １０９６に準じて測定した身体の長軸方向における伸長率が、前記高パワー部位の生地より４０％以上高く、
前記高パワー部位は、後身頃における脊髄を覆う部分と、前身頃における鎖骨の内側から中心点までの一部及び胸骨の一部を覆う部分に配置され、前記脊髄を覆う高パワー部位と前記鎖骨及び胸骨を覆う高パワー部位が連続的に繋がっており、
前記低パワー部位は、肩甲骨及び脇部周辺に配置されており、
後身頃の脊髄及び鎖骨付近において、前記高パワー部位と前記低パワー部位が接合する縫製線が曲線を描き、前記後身頃のパターンにおいて、袖付け線と脇先が交差する点から後中心切り替え線に向かって直交に交わる線を交差線Ｂとし、襟付け線と前記後中心切り替え線が交差する点をバックネックポイントとし、前記交差線Ｂと前記後中心切り替え線が直交に交わる点を交差点Ｃとし、前記後中心切り替え線上の前記交差点Ｃと前記バックネックポイント間の真中に位置する点を交差点Ｄとした場合、前記バックネックポイントと、前記交差点Ｃと、前記交差点Ｄによりなす角度Ｇが１６５〜１７７°であり、裾線と前記後中心切り替え線の交差した点を交差点Ｅとし、前記後中心切り替え線上の前記交差点Ｃから前記交差点Ｅまでの距離をＬとし、前記後中心切り替え線上の前記交差点Ｃから１／２．３Ｌ離れた点を交差点Ｆとした場合、前記交差点Ｃと、前記交差点Ｆと、前記交差点Ｅによりなす角度Ｈが１５５〜１７５°であることを特徴とするシャツ。
【請求項２】
前記後身頃における脊髄を覆う部分に配置された高パワー部位が、寛骨の少なくとも一部も覆う請求項１に記載のシャツ。
【請求項３】
前身頃における鎖骨の一部を覆う部分は、鎖骨の内側から１０〜９０％の範囲である請求項１又は２に記載のシャツ。
【請求項４】
前記高パワー部位は、さらに前身頃において腹直筋の一部を覆う部分にも配置されている請求項１〜３のいずれか１項に記載のシャツ。
【請求項５】
前身頃における鎖骨及び胸骨の一部を覆う高パワー部位は、連結部により繋がっている請求項１〜４のいずれか１項に記載のシャツ。
【請求項６】
前記連結部は、ファスナーである請求項５に記載のシャツ。
【請求項７】
前記シャツは、アンダーシャツである請求項１〜６のいずれか一項に記載のシャツ。
【発明の詳細な説明】
【技術分野】
【０００１】
本発明は、スポーツを行う時に着用されるシャツに関するものであり、特にゴルフを行う時に着用されるシャツに関するものである。
【背景技術】
【０００２】
従来より、スポーツを行う時の姿勢を矯正し、運動機能を補助するスポーツウェアが提案されている。例えば、特許文献１には、袖ぐり回り及び後身頃上部に貼り合せ生地を裏打ちして緊締部を形成することにより、姿勢を矯正できるアンダーシャツが開示されている。また、特許文献２には、前身頃及び後身頃にそれぞれパワーネット帯を縫合したことにより、上半身の姿勢を矯正できるアンダーシャツが開示されている。また、特許文献３には、衣服における前面部の上方に、ゴム紐をたすき掛けにして取り付けたことにより、姿勢を矯正できるスポーツウェアが開示されている。また、特許文献４には、三の緊締力の異なる部分を有することにより、運動機能を補助するアンダーシャツが開示されている。
【０００３】
しかしながら、上記特許文献１、２及び３に開示されたアンダーシャツでは、肩甲骨を緊締力が大きい部分が覆っており、また、上記特許文献１及び２に開示されたアンダーシャツでは、脇部周辺にも緊締力が大きい部分が配置されている。そのため、着用した時やスポーツを行う時に、衣類の圧迫感が感じられ、特にゴルフをした際、ボールの弾道がばらつくという問題がある。また、上記特許文献４に開示されたスポーツウェアは、前身頃における両脇部及び両脇部下には緊縮力が小さい部分が配置されているが、脇部周辺には緊縮力が中程度の部分が配置されているため、ゴルフをした際、ボールの弾道がばらつくことを防ぐためには、さらに改善する必要がある。
【先行技術文献】
【特許文献】
【０００４】
【特許文献１】特開２００５−２４８３９１号公報
【特許文献２】実用新案登録第３１４７４０９号公報
【特許文献３】特開２００９−３５８３８号公報
【特許文献４】特開２００５−２９０６２５号公報
【発明の概要】
【発明が解決しようとする課題】
【０００５】
本発明は、上記従来の問題を解決するため、上半身の姿勢を矯正し、運動機能を向上させるシャツを提供する。
【課題を解決するための手段】
【０００６】
本発明のシャツは、高パワー部位と低パワー部位を含むシャツであって、前記高パワー部位の生地のＪＩＳ  Ｌ  １０９６に準じて測定した身体の長軸方向における伸長率が２０〜２００％であり、かつ前記低パワー部位の生地のＪＩＳ  Ｌ  １０９６に準じて測定した身体の長軸方向における伸長率が、前記高パワー部位の生地より４０％以上高く、前記高パワー部位は、後身頃における脊髄を覆う部分と、前身頃における鎖骨の内側から中心点までの一部及び胸骨の一部を覆う部分に配置され、前記脊髄を覆う高パワー部位と前記鎖骨及び胸骨を覆う高パワー部位が連続的に繋がっており、前記低パワー部位は、肩甲骨及び脇部周辺に配置されており、後身頃の脊髄及び鎖骨付近において、前記高パワー部位と前記低パワー部位が接合する縫製線が曲線を描き、前記後身頃のパターンにおいて、袖付け線と脇先が交差する点から後中心切り替え線に向かって直交に交わる線を交差線Ｂとし、襟付け線と前記後中心切り替え線が交差する点をバックネックポイントとし、前記交差線Ｂと前記後中心切り替え線が直交に交わる点を交差点Ｃとし、前記後中心切り替え線上の前記交差点Ｃと前記バックネックポイント間の真中に位置する点を交差点Ｄとした場合、前記バックネックポイントと、前記交差点Ｃと、前記交差点Ｄによりなす角度Ｇが１６５〜１７７°であり、裾線と前記後中心切り替え線の交差した点を交差点Ｅとし、前記後中心切り替え線上の前記交差点Ｃから前記交差点Ｅまでの距離をＬとし、前記後中心切り替え線上の前記交差点Ｃから１／２．３Ｌ離れた点を交差点Ｆとした場合、前記交差点Ｃと、前記交差点Ｆと、前記交差点Ｅによりなす角度Ｈが１５５〜１７５°であることを特徴とする。
【発明の効果】
【０００７】
本発明は、後身頃における脊髄を覆う部分と、前身頃における鎖骨の内側から中心点までの一部及び胸骨の一部を覆う部分に高パワー部位を配置し、前記脊髄を覆う高パワー部位と前記鎖骨及び胸骨を覆う高パワー部位が連続的に繋がっており、肩甲骨及び脇部周辺に低パワー部位を配置することにより、上半身の姿勢を矯正しつつ、運動機能も向上できるシャツを提供する。特に、ゴルフにおいて、アドレス時の姿勢を理想的なフォムに導くことができるうえ、スイング時の上半身の軸のブレを低減でき、ボールの着地位置のバラツキも低減できる。また、衣類による圧迫感もない。
【図面の簡単な説明】
【０００８】
【図１】図１Ａは本発明の一実施例におけるシャツの正面図であり、図１Ｂは同、背面図である。
【図２】本発明の一実施例における後身頃のパターンを説明する図である。
【発明を実施するための形態】
【０００９】
発明者らは、腕を挙げる運動時、例えばゴルフスイング時の皮膚の伸びを特許３８３１３４８号公報に記載の手法を用いて解析した。その結果、上半身において、肩甲骨、脇部周辺は皮膚の伸展が大きいことが分かった。また、腕を挙げる運動時に脇部周辺の皮膚の伸展が大きいことは、衣類解剖学（文化出版局、１９０〜１９１頁、１９９６年４月２１日発行）にも開示されている。本発明のシャツにおいて、高パワー部位は、腕の挙げる運動時、例えばゴルフのスイング時に皮膚が伸びない部分である脊髄を覆う部分（以下、脊髄高パワー部位と記す。）と、鎖骨の内側から中心点までの一部及び胸骨の一部を覆う部分（以下、鎖骨胸骨高パワー部位と記す。）に配置されている。また、低パワー部位は、腕を挙げる運動時、例えばゴルフのスイング時に皮膚の伸展が大きい部分である肩甲骨（肩甲骨低パワー部位）及び脇部周辺（脇部周辺低パワー部位）に配置されている。このように、高パワー部位をゴルフのスイング時に皮膚が伸びない部分に配置され、低パワー部位をゴルフのスイング時に皮膚の伸展が大きい部分に配置することにより、ゴルフのアドレス時及びスイング時の正しい姿勢を維持しつつ、動きを制限せず、運動機能を向上できる。
【００１０】
本発明のシャツにおいて、前記脊髄高パワー部位と前記鎖骨胸骨高パワー部位は連続的に繋がっているため、正しい姿勢を維持できる。また、後身頃において、前記脊髄高パワー部位は、少なくとも寛骨の一部を覆うように配置されることが好ましく、寛骨の全部を覆い、裾線までに配置されることが好ましい。正しい姿勢の維持がより容易になる。前記鎖骨の内側から中心点までの一部を覆う高パワー部位（以下、鎖骨高パワー部位と記す。）は、鎖骨の内側から１０〜９０％の範囲に配置されていることが好ましい。上記範囲に配置されることにより、鎖骨の両端の凸部を覆うことによる痛みを防げる。また、前記胸骨の一部を覆う部分（以下、胸骨高パワー部位と記す。）は、少なくとも胸骨の一部を覆えばよく、全部を覆ってもよい。
【００１１】
また、本発明のシャツにおいて、高パワー部位は、さらに前身頃において腹直筋の一部を覆う部分（以下、腹直筋高パワー部位とも記す。）に配置されてもよい。これにより、骨盤をサポートすることができる。また、前記腹直筋高パワー部位は、上前腸骨棘上には配置されていない（以下において、上前腸骨棘パワー部排他領域とも記す。）ことが好ましい。これにより、骨盤をサポートしつつ、骨盤の運動を妨げない。前身頃において、裾線から体長方向に７．５ｃｍ距離離れた平行線を取り、そこから体長方向上部に５ｃｍ幅の帯状領域を取った場合、前記上前腸骨棘パワー部排他領域は、前記帯状領域の面積に対して１５〜３５％であることが好ましい。
【００１２】
本発明のシャツにおいて、前記高パワー部位は、連結部により繋がっていることが好ましい。前記連結部の開閉程度により、高パワー部位の連結程度を調整し、衣類にかかる応力を変化させ、着用感を調整できる。前記連結部は、開閉できるものであればよく、特に限定されないが、簡便という点から、ファスナー（面ファスナーも含む）であることが好ましい。前記連結部を全部開けた際、高パワー部位が分断されることにより、シャツの着脱が容易になる。また、操作の容易さから、ファスナーは鎖骨胸骨高パワー部位に配置されていることが好ましい。
【００１３】
本発明のシャツにおいて、肩甲骨及び脇部周辺に低パワー部位を配置するのは必須である。これにより、ゴルフのアドレス時及びスイング時の正しい姿勢を維持しつつ、動きを制限せず、運動機能を向上できる。また、前記高パワー部位以外のすべての部分には低パワー部位を配置することが好ましい。
【００１４】
本発明のシャツにおいて、後身頃の脊髄及び鎖骨付近において、前記高パワー部位と前記低パワー部位が接合する縫製線が曲線を描く。また、後身頃のパターンにおいて、袖付け線と脇先が交差する点から後中心切り替え線に向かって直交に交わる線を交差線Ｂとし、襟付け線と前記後中心切り替え線が交差する点をバックネックポイントとし、前記交差線Ｂと後中心切り替え線が直交に交わる点を交差点Ｃとし、前記後中心切り替え線上の前記交差点Ｃと前記バックネックポイント間の真中に位置する点を交差点Ｄとした場合、前記バックネックポイントと、前記交差点Ｃと、前記交差点Ｄによりなす角度Ｇが１６５〜１７７°であり、裾線と前記後中心切り替え線の交差した点を交差点Ｅとし、前記後中心切り替え線上の前記交差点Ｃから前記交差点Ｅまでの距離をＬとし、前記後中心切り替え線上の前記交差点Ｃから１／２．３Ｌ離れた点を交差点Ｆとした場合、前記交差点Ｃと、前記交差点Ｆと、前記交差点Ｅによりなす角度Ｈが１５５〜１７５°であることが好ましい。前記Ｇ角が１６５〜１７７°であり、前記Ｈ角が１５５〜１７５°であることにより、衣類による圧迫感もなく、着用感が良く、姿勢の矯正効果に優れるとともに、スイング時のボールのブレもより改善できる。
【００１５】
本発明のシャツにおいて、前記低パワー部位の生地のＪＩＳ  Ｌ  １０９６に準じて測定した身体の長軸方向における伸長率（以下、伸長率とも記す。）が、前記高パワー部位の生地より４０％以上高い。４０％未満の場合は、背中のサポート感を感じることができず、上半身の姿勢の矯正効果が得られ難い。また、よりすぐれたサポート感を得られるという観点から、前記低パワー部位の伸長率が前記高パワー部位の伸長率より５０％以上高いことが好ましく、６０％以上高いことがより好ましい。また、縫製での生産性、使用による不具合の発生という観点から、前記低パワー部位の生地と前記高パワー部位の生地の伸長率の差は３００％以下であることが好ましい。伸長率差が３００％より大きい場合、シームパッカリングなどの外観不良が発生しやすい。また、局部的に応力がかかるため、使用中に高パワー部位の生地と低パワー部位の生地の間で破れなどが発生しやすい。本発明において、伸長率（％）は、具体的には、幅５ｃｍ、長さ３０ｃｍの生地片を用い、ＪＩＳ  Ｌ  １０９６に準じて測定した、荷重をかけてない状態の生地片の長さをＡとし、長さ方向（身体の長軸方向）に１５Ｎの荷重をかけた状態の生地片の長さをＢとした場合、（Ｂ−Ａ）／Ａ×１００で示したものである。
【００１６】
前記高パワー部位の生地のＪＩＳ  Ｌ  １０９６に準じて測定した身体の長軸方向における伸長率が２０〜２００％であり、２０〜１６０％であることが好ましく、８５〜１４０％であることがより好ましい。前記伸長率が２０％未満であると、衣類による圧迫感が大きく、長時間着用することが困難になる。また、２００％を超えると、背中のサポート感を感じることができず、上半身の姿勢の矯正効果が得られ難い。
【００１７】
前記低パワー部位の生地のＪＩＳ  Ｌ  １０９６に準じて測定した身体の長軸方向における伸長率は、着用感をさらに向上させるという観点から、１００〜４００％であることが好ましく、１５０〜３２０％であることがより好ましい。また、前記低パワー部位の生地のＪＩＳ  Ｌ  １０９６に準じて測定した、０．６Ｎ荷重時の身体の長軸方向における伸長率は３０％より大きいことが好ましい。
【００１８】
本発明のシャツは、体にほぼ密着しており、アンダーシャツであることが好ましい。より優れた姿勢矯正効果及び運動機能向上効果が得られる。本発明において、「ほぼ密着」の状態を作るには、人体の裸のサイズに対して、周囲方向は５０〜１１０％、より好ましくは７０〜９５％、丈は７５〜１００％、より好ましくは８５〜１００％としてシャツを形成する。もちろん人体のサイズは個人差があるので、前記の比率は目安である。より具体的には、ＪＡＳＰＯ規格に従ってサイズを決める。
【００１９】
前記高パワー部位の生地及び低パワー部位の生地としては、伸長率が上記の範囲を満たすものであればよく、特に限定されず、例えば織物、編物などの通常のシャツ生地を採用できる。織物としては、例えば平織、斜文織、朱子織、変化平織、変化斜文織、変化朱子織、変わり織、紋織、片重ね織、二重組織、多重組織、経パイル織、緯パイル織、絡み織などがある。編物としては、例えば丸編、緯編、経編（トリコット編、ラッセル編を含む）、パイル編などを含み、平編、天竺編、リブ編、スムース編（両面編）、ゴム編、パール編、デンビー組織、コード組織、アトラス組織、鎖組織、挿入組織などがある。上記生地は、目付けが１２０〜２８０ｇ／ｍ2の範囲が好ましく、より好ましくは１４０〜２５０ｇ／ｍ2の範囲、特に好ましくは１６０〜２３０ｇ／ｍ2の範囲である。上記の範囲であれば、運動機能を損なわず、耐久性も良く、軽くて動きやすい利点がある。また、前記生地は、エラストマー樹脂又はゴムにより含浸又はプレス処理されたものでもよい。エラストマー樹脂としては、ウレタン系エラストマー、軟質塩化ビニル系エラストマー、スチレン系エラストマー、オレフィン系エラストマー、エステル系エラストマー、アミド系エラストマー、塩素化ポリエチレン系エラストマー、Ｓｙｎ−１，２−ポリブタジエン系エラストマー、Ｔｒａｎｓ−１，４−ポリイソプレン系エラストマー、フッ素系エラストマー等がある。ゴムとしては、シリコーンゴム、フッ素ゴム、ウレタンゴム、合成ゴム、天然ゴム等がある。また、前記生地は一枚であってもよく、異なる伸長率の二枚の生地を重ねたものであってもよい。
【００２０】
前記生地を構成する繊維としては、特に限定されず、例えば、ポリエチレンテレフタレート、ポリトリメチレンテレフタレート、ポリブチレンテレフタレートなどのポリエステル繊維、ポリウレタン繊維、ポリアミド繊維、アセテート繊維、コットン繊維、レーヨン繊維、エチレンビニルアルコール繊維、ナイロン繊維などを用いることができる。
【００２１】
以下図面を用いて説明する。図１Ａは本発明の一実施例におけるシャツの正面図、図１Ｂは同、背面図である。アンダーシャツ１０は、後身頃における脊髄を覆う部分に配置された脊髄高パワー部位１と、前身頃における鎖骨の内側から中心点までの一部及び胸骨の一部を覆う部分に配置された鎖骨胸骨高パワー部位２を含み、脊髄高パワー部位１と鎖骨胸骨高パワー部位２は、肩線８により連続的に繋がっている。また、アンダーシャツ１０において、脊髄高パワー部位１は、寛骨の全部を覆っており、裾線までに配置されている。また、鎖骨胸骨高パワー部位２は、ファスナー５により繋がっている。また、アンダーシャツ１０は、前身頃において腹直筋の一部を覆う部分に配置された腹直筋高パワー部位６を含む。また、アンダーシャツ１０は、肩甲骨に配置された肩甲骨低パワー部位３と、脇部周辺に配置された脇部周辺低パワー部位４を含む。また、アンダーシャツ１０において、高パワー部位が配置されていないすべての部分に低パワー部位が配置されている。また、後身頃の脊髄及び鎖骨付近において、脊髄高パワー部位１と肩甲骨３及び脇部周辺４を覆う低パワー部位が接合する縫製線７が曲線を描いている。
【００２２】
図２は本発明の一実施例における後身頃のパターンを説明する図である。後身頃のパターン２０において、袖付け線と脇先が交差する点Ａから後中心切り替え線に向かって直交に交わる線を交差線Ｂとし、襟付け線と前記後中心切り替え線が交差する点をバックネックポイントＩとし、前記交差線Ｂと後中心切り替え線が直交に交わる点を交差点Ｃとし、前記後中心切り替え線上の交差点ＣとバックネックポイントＩ間の真中に位置する点を交差点Ｄとした場合、バックネックポイントＩと、交差点Ｃと、交差点Ｄによりなす角度Ｇは１６５〜１７７°であり、裾線と前記後中心切り替え線の交差した点を交差点Ｅとし、前記後中心切り替え線上の交差点Ｃから交差点Ｅまでの距離をＬとし、前記後中心切り替え線上の交差点Ｃから１／２．３Ｌ離れた点を交差点Ｆとした場合、交差点Ｃと、交差点Ｆと、交差点Ｅによりなす角度Ｈは１５５〜１７５°である。
【実施例】
【００２３】
以下実施例を用いてさらに具体的に説明する。なお、本発明は下記の実施例に限定されるものではない。
【００２４】
（生地）
生地として、下記のように製造した生地を使用した。
【００２５】
＜製造例１＞
ポリエチレンテレフタレートフィラメントからなる仮撚加工糸（トータル繊度：３３ｄｔｅｘ、フィラメント数：３６本）を８４質量％、ポリウレタン弾性糸（トータル繊度：２２ｄｔｅｘ、フィラメント数：１本）を１６質量％の混率で引き揃えて使用し、ハーフ組織のトリコット経編地を編成した。得られた生地ａの目付けは１８０ｇ／ｍ2であった。また、生地ａのＪＩＳ  Ｌ  １０９６に準じて測定した、１５Ｎ荷重時の伸長率が、身体の長軸方向において２３０％であった。
【００２６】
＜製造例２＞
目付けを１２０ｇ／ｍ2にした以外は、製造例１と同様にして製造例２の生地ｂを作製した。得られた生地ｂのＪＩＳ  Ｌ  １０９６に準じて測定した、１５Ｎ荷重時の伸長率が、身体の長軸方向において１１０％であった。
【００２７】
＜製造例３＞
ポリエチレンテレフタレートフィラメントからなる仮撚加工糸（トータル繊度：３３ｄｔｅｘ、フィラメント数：３６本）を７５質量％、ポリウレタン弾性糸（トータル繊度：２２ｄｔｅｘ、フィラメント数：１本）を２５質量％の混率で引き揃えて使用し、ハーフ組織のトリコット経編地を編成した。得られた生地ｃの目付けは１２０ｇ／ｍ2であった。また、生地ｃのＪＩＳ  Ｌ  １０９６に準じて測定した、１５Ｎ荷重時の伸長率が、身体の長軸方向において１９％であった。
【００２８】
＜製造例４＞
製造例１と同様にしてハーフ組織のトリコット経編地を編成した。その後、熱をかけて軟化させたポリウレタン樹脂（デュポン社製）をプレスして生地ｄを得た。得られた生地ｄの目付けは２００ｇ／ｍ2であった。また、生地ｄのＪＩＳ  Ｌ  １０９６に準じて測定した、１５Ｎ荷重時の伸長率が、身体の長軸方向において８５％であった。
【００２９】
＜製造例５＞
生地ａと生地ｂをそれぞれ一枚ずつ重ねて生地ｅとした。得られた生地ｅのＪＩＳ  Ｌ  １０９６に準じて測定した、１５Ｎ荷重時の伸長率が、身体の長軸方向において９３％であった。
【００３０】
＜製造例６＞
生地ａと生地ｃをそれぞれ一枚ずつ重ねて生地ｆとした。得られた生地ｆのＪＩＳ  Ｌ  １０９６に準じて測定した、１５Ｎ荷重時の伸長率が、身体の長軸方向において１３％であった。
【００３１】
＜製造例７＞
ポリエチレンテレフタレートフィラメントからなる仮撚加工糸（トータル繊度：３３ｄｔｅｘ、フィラメント数：３６本）を８２質量％、ポリウレタン弾性糸（トータル繊度：２２ｄｔｅｘ、フィラメント数：１本）を１８質量％の混率で引き揃えて使用し、ハーフ組織のトリコット経編地を編成した。得られた生地ｇの目付けは１７５ｇ／ｍ2であった。また、生地ｇのＪＩＳ  Ｌ  １０９６に準じて測定した、１５Ｎ荷重時の伸長率が、身体の長軸方向において２００％であった。
【００３２】
＜製造例８＞
ポリエチレンテレフタレートフィラメントからなる仮撚加工糸（トータル繊度：３３ｄｔｅｘ、フィラメント数：３６本）を８４質量％、ポリウレタン弾性糸（トータル繊度：３３ｄｔｅｘ、フィラメント数：１本）を１６質量％の混率で引き揃えて使用し、ハーフ組織のトリコット経編地を編成した。得られた生地ｈの目付けは１８５ｇ／ｍ2であった。また、生地ｈのＪＩＳ  Ｌ  １０９６に準じて測定した、１５Ｎ荷重時の伸長率が、身体の長軸方向において１５０％であった。
【００３３】
＜製造例９＞
ポリエチレンテレフタレートフィラメントからなる仮撚加工糸（トータル繊度：３３ｄｔｅｘ、フィラメント数：３６本）を８４質量％、ポリウレタン弾性糸（トータル繊度：１７ｄｔｅｘ、フィラメント数：１本）を１６質量％の混率で引き揃えて使用し、ハーフ組織のトリコット経編地を編成した。得られた生地ｉの目付けは１８０ｇ／ｍ2であった。また、生地ｉのＪＩＳ  Ｌ  １０９６に準じて測定した、１５Ｎ荷重時の伸長率が、身体の長軸方向において３３０％であった。
【００３４】
＜製造例１０＞
ポリエチレンテレフタレートフィラメントからなる仮撚加工糸（トータル繊度：３３ｄｔｅｘ、フィラメント数：３６本）を８４質量％、ポリウレタン弾性糸（トータル繊度：３３ｄｔｅｘ、フィラメント数：１本）を１６質量％の混率で引き揃えて使用し、ハーフ組織のトリコット経編地を編成した。得られた生地ｊの目付けは２００ｇ／ｍ2であった。また、生地ｊのＪＩＳ  Ｌ  １０９６に準じて測定した、１５Ｎ荷重時の伸長率が、身体の長軸方向において１６５％であった。
【００３５】
＜製造例１１＞
ポリエチレンテレフタレートフィラメントからなる仮撚加工糸（トータル繊度：３３ｄｔｅｘ、フィラメント数：３６本）を８２質量％、ポリウレタン弾性糸（トータル繊度：３３ｄｔｅｘ、フィラメント数：１本）を１８質量％の混率で引き揃えて使用し、ハーフ組織のトリコット経編地を編成した。得られた生地ｋの目付けは２００ｇ／ｍ2であった。また、生地ｋのＪＩＳ  Ｌ  １０９６に準じて測定した、１５Ｎ荷重時の伸長率が、身体の長軸方向において１７５％であった。
【００３６】
＜製造例１２＞
ポリエチレンテレフタレートフィラメントからなる仮撚加工糸（トータル繊度：３３ｄｔｅｘ、フィラメント数：３６本）を８０質量％、ポリウレタン弾性糸（トータル繊度：３３ｄｔｅｘ、フィラメント数：１本）を２０質量％の混率で引き揃えて使用し、ハーフ組織のトリコット経編地を編成した。得られた生地ｌの目付けは２００ｇ／ｍ2であった。また、生地ｌのＪＩＳ  Ｌ  １０９６に準じて測定した、１５Ｎ荷重時の伸長率が、身体の長軸方向において１４０％であった。
【００３７】
＜製造例１３＞
ポリエチレンテレフタレートフィラメントからなる仮撚加工糸（トータル繊度：３３ｄｔｅｘ、フィラメント数：３６本）を８４質量％、ポリウレタン弾性糸（トータル繊度：３３ｄｔｅｘ、フィラメント数：１本）を１６質量％の混率で引き揃えて使用し、ハーフ組織のトリコット経編地を編成した。得られた生地ｍの目付けは１９０ｇ／ｍ2であった。また、生地ｍのＪＩＳ  Ｌ  １０９６に準じて測定した、１５Ｎ荷重時の伸長率が、身体の長軸方向において１６０％であった。
【００３８】
＜製造例１４＞
ポリエチレンテレフタレートフィラメントからなる仮撚加工糸（トータル繊度：３３ｄｔｅｘ、フィラメント数：３６本）を８２質量％、ポリウレタン弾性糸（トータル繊度：５４ｄｔｅｘ、フィラメント数：１本）を１８質量％の混率で引き揃えて使用し、ハーフ組織のトリコット経編地を編成した。得られた生地ｎの目付けは２００ｇ／ｍ2であった。また、生地ｎのＪＩＳ  Ｌ  １０９６に準じて測定した、１５Ｎ荷重時の伸長率が、身体の長軸方向において２０％であった。
【００３９】
（実施例１）
生地ｂを高パワー部位に使用し、生地ａを低パワー部位に使用し、図１Ａ−Ｂに示したアンダーシャツを縫製した。縫製は、後身頃のパターンにおけるＧ角及びＨ角を下記表１に示す角度にし、ＪＡＳＰＯ規格に従い、着用者の上半身の表面にほぼ密着した状態になるよう縫製した。
【００４０】
（実施例２）
生地ｅを高パワー部位に使用し、後身頃のパターンにおけるＧ角及びＨ角を下記表１に示す角度にした以外は、実施例１と同様にしてアンダーシャツを縫製した。なお、生地ｅは、生地ａがアンダーシャツの表面に配置するようにした。
【００４１】
（実施例３）
生地ｄを高パワー部位に使用し、後身頃のパターンにおけるＧ角及びＨ角を下記表１に示す角度にした以外は、実施例１と同様にしてアンダーシャツを縫製した。
【００４２】
（実施例４）
生地ｇを低パワー部位に使用し、生地ｌを高パワー部位に使用し、後身頃のパターンにおけるＧ角及びＨ角を下記表１に示す角度にした以外は、実施例１と同様にしてアンダーシャツを縫製した。
【００４３】
（実施例５）
生地ｇを低パワー部位に使用し、生地ｍを高パワー部位に使用し、後身頃のパターンにおけるＧ角及びＨ角を下記表１に示す角度にした以外は、実施例１と同様にしてアンダーシャツを縫製した。
【００４４】
（実施例６）
生地ｈを低パワー部位に使用し、生地ｎを高パワー部位に使用し、後身頃のパターンにおけるＧ角及びＨ角を下記表１に示す角度にした以外は、実施例１と同様にしてアンダーシャツを縫製した。
【００４５】
（実施例７）
生地ｉを低パワー部位に使用し、生地ｇを高パワー部位に使用し、後身頃のパターンにおけるＧ角及びＨ角を下記表１に示す角度にした以外は、実施例１と同様にしてアンダーシャツを縫製した。
【００４６】
（実施例８〜１５）
後身頃のパターンにおけるＧ角及びＨ角を、それぞれ下記表１に示す角度にした以外は、実施例１と同様にしてアンダーシャツを縫製した。
【００４７】
（比較例１）
高パワー部位と低パワー部位のいずれの部位にも生地ａを使用し、図１Ａ−Ｂに示したアンダーシャツを縫製した。縫製は、後身頃のパターンにおけるＧ角及びＨ角を下記表１に示す角度にし、ＪＡＳＰＯ規格に従い、着用者の上半身の表面にほぼ密着した状態になるよう縫製した。
【００４８】
（比較例２）
生地ｃを高パワー部位に使用し、後身頃のパターンにおけるＧ角及びＨ角を下記表１に示す角度にした以外は、比較例１と同様にしてアンダーシャツを縫製した。
【００４９】
（比較例３）
生地ｆを高パワー部位に使用し、後身頃のパターンにおけるＧ角及びＨ角を下記表１に示す角度にした以外は、比較例１と同様にしてアンダーシャツを縫製した。なお、生地ｆは、生地ａがアンダーシャツの表面に配置するようにした。
【００５０】
（比較例４）
生地ｊを高パワー部位に使用し、生地ｇを低パワー部位に使用し、後身頃のパターンにおけるＧ角及びＨ角を下記表１に示す角度にした以外は、比較例１と同様にしてアンダーシャツを縫製した。
【００５１】
（比較例５）
生地ｋを高パワー部位に使用し、生地ｇを低パワー部位に使用し、後身頃のパターンにおけるＧ角及びＨ角を下記表１に示す角度にした以外は、比較例１と同様にしてアンダーシャツを縫製した。
【００５２】
（着用試験結果）
実施例及び比較例のシャツを着用してもらい、以下のように着用テストを行い、その結果を下記表１に示した。
【００５３】
＜着用感＞
シャツを着用した後、ゴルフを行う時のアドレスの姿勢をとり、背中のサポート感を以下の５段階で評価した。被験者は５名であり、下記表１には平均値を示した。
１    非常に悪い
２    悪い
３    普通
４    良い
５    非常によい
【００５４】
＜スイング時の身体のブレ＞
シャツを着用した後、ボールを１０回打ち、各関節反射マーカーの座標デジタイズにより、顎と手のブレ及び体のブレ−を測定した。被験者は１０名であり、下記表１には平均値を示した。
【００５５】
＜スイング時のボールのブレ＞
シャツを着用した後、ボールを１０回打ち、ゴルフ弾道シミュレーターにより、ヘッドスピード、ミート率及びボールが着地した時の左右方向のブレ幅（以下において、横ブレと記す。）を測定した。被験者は１０名であり、下記表１には平均値を示した。
【００５６】
【表１】
0005486932.tif 000002
【００５７】
表１の実施例と比較例のデータから分かるように、低パワー部位の生地の伸長率が高パワー部位より４０％以上高く、高パワー部位の生地の伸長率が２０〜２００％である実施例のシャツを着用すると、背中のサポート感を得られ、正しい姿勢を維持でき身体のブレを抑制できるうえ、スイング時のボールのバラツキも抑制できる。また、高パワー部位の生地の伸長率が低いほど効果が優れることが分かる。
【００５８】
また、表１の実施例８〜１５のデータから、Ｇ角が１６５〜１７７°であり、Ｈ角が１５５〜１７５°であると、着用感がより優れ、運動機能改善効果もさらに向上することが分かる。
【符号の説明】
【００５９】
１  脊髄高パワー部位
２  鎖骨胸骨高パワー部位
３  肩甲骨低パワー部位
４  脇部周辺低パワー部位
５  ファスナー
６  腹直筋高パワー部位
７  縫製線
８  肩線
１０  アンダーシャツ
２０  後身頃のパターン
【図１Ａ】
0005486932.tif 000003
【図１Ｂ】
0005486932.tif 000004
【図２】
0005486932.tif 000005